(57)【要約】【課題】簡単な構成で記録紙に折り目を付けることができる画像形成装置を提供する。【解決手段】パンチ用出力設定がされた場合、制御部によりソレノイド４１１が駆動され、折り目付けコロ４１２がセンター駆動ローラー４１４に押圧される。紙検出部４１３により、搬送されてきた記録紙Ｐの先端が検出されると、所定時間経過するまで排紙ローラー４６の回転に伴って折り目付けコロ４１２により記録紙Ｐの先端からセンターライン上に折り目付けがされる。所定時間経過すると、制御部によりソレノイド４１１の駆動が停止され、折り目付けコロ４１２のセンター駆動ローラー４１４に対する押圧が解除され、センターラインの先端部のみに折り目付けされた記録紙Ｐが排紙される。【選択図】図２
2015067424.tif 000002
【特許請求の範囲】
【請求項１】
記録紙を搬送する搬送ローラーの駆動軸と同軸に設けられたセンター駆動ローラーと、
該センター駆動ローラーに対向して設けられたコロと、
該コロを前記センター駆動ローラーに押圧する押圧部と、
搬送される前記記録紙の先端を検出する紙検出部と、
を有する折り加工部と、
パンチ用出力設定がされたときに、前記紙検出部により前記先端が検出されたタイミングに基づいて前記押圧部を制御して、前記コロにより前記記録紙のセンターラインに折り目を付ける制御部と
を備えたことを特徴とする画像形成装置。
【請求項２】
前記制御部は、前記記録紙が前記センター駆動ローラーに搬送される前に前記押圧部により前記コロを前記センター駆動ローラーに押圧し、前記紙検出部により前記先端が検出されてから所定時間後に前記押圧部により前記コロの前記センター駆動ローラーに対する押圧を解除して、前記記録紙のセンターラインの先端部のみに折り目を付ける
ことを特徴とする請求項１に記載の画像形成装置。
【請求項３】
前記制御部は、前記記録紙の予め設定された折り目付け位置が搬送方向後端側である場合、前記予め設定された折り目付け位置が搬送方向先端側になるように変換して、前記折り加工部に搬送する
ことを特徴とする請求項１又は２に記載の画像形成装置。
【請求項４】
前記記録紙を反転する記録紙反転搬送路を備え、
前記制御部は、前記記録紙の予め設定された折り目付け位置が搬送方向後端側である場合、前記記録紙反転搬送路により前記記録紙を反転させて、前記折り加工部に搬送する
ことを特徴とする請求項１から３までのいずれか１項に記載の画像形成装置。
【請求項５】
前記制御部は、前記記録紙の予め設定された折り目付け位置が搬送方向後端側である場合、上下反転した画像を前記記録紙に印刷して、前記折り加工部に搬送する
ことを特徴とする請求項１から３までのいずれか１項に記載の画像形成装置。
【請求項６】
折り目を付けるページをユーザーが設定可能とする
ことを特徴とする請求項１から５までのいずれか１項に記載の画像形成装置。
【発明の詳細な説明】
【技術分野】
【０００１】
本発明は、記録紙に折り目を付ける機能を備えた画像形成装置に関する。
【背景技術】
【０００２】
従来、印刷した記録紙を半分に折ってからパンチする際には、記録紙の半分に折って記録紙のセンターラインに折り目を付け、その折り目とパンチ機のセンターマークとを合わせてパンチすることが多い。
【０００３】
印刷した記録紙を折る技術としては、例えば、製本処理のための用紙折り畳みを目的として、印刷した記録紙に折り目を付ける折りユニットに関する技術が知られている（例えば、特許文献１を参照）。
【先行技術文献】
【特許文献】
【０００４】
【特許文献１】特開2010-012780号公報
【発明の概要】
【発明が解決しようとする課題】
【０００５】
しかしながら、特許文献１に開示の技術は、製本処理のための技術であるため、折り目を付けるための構成が複雑で大掛かりとなっていた。
【０００６】
本発明は上記課題に鑑みてなされたものであり、上記課題を解決することができる技術を提供することを目的とする。
【課題を解決するための手段】
【０００７】
本発明の画像形成装置は、記録紙を搬送する搬送ローラーの駆動軸と同軸に設けられたセンター駆動ローラーと、該センター駆動ローラーに対向して設けられたコロと、該コロを前記センター駆動ローラーに押圧する押圧部と、搬送される前記記録紙の先端を検出する紙検出部と、を有する折り加工部と、パンチ用出力設定がされたときに、前記紙検出部により前記先端が検出されたタイミングに基づいて前記押圧部を制御して、前記コロにより前記記録紙のセンターラインに折り目を付ける制御部とを備えたことを特徴とする。
【発明の効果】
【０００８】
本発明によれば、簡単な構成で記録紙に折り目を付けることができる画像形成装置を提供することができる。
【図面の簡単な説明】
【０００９】
【図１】本発明に係る実施形態の画像形成装置の図である。
【図２】図１に示す排出ローラーを排紙トレイ側から見た図である。
【図３】図１に示す画像形成装置の構成を示すブロック図である。
【図４】図１に示す画像形成装置の折り目付け位置設定画面の図である。
【図５】図１に示す画像形成装置の処理の流れを説明するフローチャートである。
【図６】図１に示す折り加工部の処理の流れを説明するフローチャートである。
【発明を実施するための形態】
【００１０】
本発明の実施の形態を、図面を参照して具体的に説明する。
本実施の形態の画像形成装置１は、複写機であり、図１を参照すると、原稿読取部２と、原稿給送部３と、本体部５０と、操作部６とを備えている。原稿読取部２は、本体部５０の上方に配設され、原稿読取部２と本体部５０との間には、排紙トレイ５１が形成されている。また、本体部５０の排紙トレイ５１が形成された側の逆の側面には、排紙トレイ５２が設けられている。原稿給送部３は、原稿読取部２の上方に配設されている。また、原稿給送部３は、可倒式に構成され、原稿給送部３を上方に開くことで、原稿読取部２の上面を開放させることができる構成になっている。操作部６は、画像形成装置１の手前側に配設されている。なお、本件の画像形成装置１は、複写機で説明したが、スキャナー、複合機等が含まれるのは、言うまでもない。
【００１１】
操作部６には、液晶表示部６１、操作ボタン６２が設けられている。ユーザーは操作部６を操作して指示を入力することで、画像形成装置１の各種の設定をし、画像形成等の各種機能を実行させる。液晶表示部６１は、画像形成装置１の状態を示したり、画像形成状況や印刷部数を表示したり、タッチパネルとして、両面印刷や白黒反転等の機能や倍率設定、濃度設定など各種設定を行えるようになっている。操作ボタン６２としては、画像形成を開始するようにユーザーが指示するスタートボタン、画像形成を中止する際等に使用するストップ／クリアボタン、画像形成装置１の各種設定をデフォルト状態にする際に使用するリセットボタン、テンキー等が設けられている。
【００１２】
原稿読取部２は、スキャナー２１と、プラテンガラス２２と、原稿読取スリット２３とを備える。スキャナー２１は、露光ランプ及びＣＣＤ(Charge Coupled Device)センサー等から構成され、原稿給送部３による原稿の給送方向に移動可能に構成されている。プラテンガラス２２は、ガラス等の透明部材により構成された原稿台である。原稿読取スリット２３は、原稿給送部３による原稿ＭＳの給送方向と直交方向に形成されたスリットを有する。
【００１３】
プラテンガラス２２に載置された原稿ＭＳを読み取る場合には、スキャナー２１は、プラテンガラス２２に対向する位置に移動され、プラテンガラス２２に載置された原稿を走査しながら原稿ＭＳを読み取って画像データを取得し、取得した画像データを本体部５０に出力する。また、原稿給送部３により給送された原稿ＭＳを読み取る場合には、スキャナー２１は、原稿読取スリット２３と対向する位置に移動され、原稿読取スリット２３を介し、原稿給送部３による原稿ＭＳの給送動作と同期して原稿ＭＳを読み取って画像データを取得し、取得した画像データを本体部５０に出力する。
【００１４】
原稿給送部３は、ＡＤＦ（Auto Document Feeder）であり、原稿載置部３１と、原稿排出トレイ３２と、原稿給送機構３３とを備えている。原稿載置部３１に載置された原稿ＭＳは、原稿給送機構３３によって、１枚ずつ順に繰り出されて原稿読取スリット２３に対向する位置へ給送され、その後、原稿排出トレイ３２に排出される。
【００１５】
本体部５０は、電子写真プロセスによって記録紙Ｐに記録を施す記録部７を備えると共に、給紙カセット４１（４１−１〜４１−ｎ）と、給紙ローラー４２（４２−１〜４２−ｎ）と、用紙搬送路４３と、レジストローラー４４と、排紙ローラー４５、４６とを備えている。給紙ローラー４２、レジストローラー４４、排紙ローラー４５及び４６は、記録紙Ｐを搬送する搬送部として機能する。給紙カセット４１には、記録紙Ｐを搬送方向縦向きに搬送する縦向き給紙カセット４１−１と、記録紙Ｐを搬送方向横向きに搬送する横向き給紙カセット４１−ｎとがある。縦向き給紙カセット４１−１には、記録紙Ｐの長辺方向が図面左右方向になるように収納されており、横向き給紙カセット４１−ｎには、記録紙Ｐの短辺方向が図面左右方向になるように収納されている。縦向き給紙カセット４１−１に収納された記録紙Ｐは、給紙ローラー４２−１により短辺が搬送方向先頭となって用紙搬送路４３に１枚ずつ繰り出され、横向き給紙カセット４１−ｎに収納された記録紙Ｐは、給紙ローラー４２−ｎにより長辺が搬送方向先頭となって用紙搬送路４３に１枚ずつ繰り出される。
【００１６】
用紙搬送路４３に繰り出された記録紙Ｐは、レジストローラー４４によって記録部７に搬送される。そして、記録部７によって記録が施された記録紙Ｐは、排紙ローラー４５、４６によって排紙トレイ５１又は排紙トレイ５２に排出される。また、用紙搬送路４３には、記録紙Ｐを反転させる用紙反転搬送路４７が設けられている。記録紙Ｐは、記録部７により片面に記録が施されたあとで、排紙トレイ５１側の排紙ローラー４６にニップされた後にスイッチバックされ、用紙反転搬送路４７を経由してレジストローラー４４の上流域に再度搬送されることで反転する。
【００１７】
記録部７は、感光体ドラム７１と、露光部７２と、画像形成部７３と、転写部７４と、定着部７５とを備えている。露光部７２は、レーザー装置やミラー等を備えた光学ユニットであり、画像データに基づいてレーザー光を出力して感光体ドラム７１を露光し、感光体ドラム７１の表面に静電潜像を形成する。画像形成部７３は、トナーを用いて感光体ドラム７１に形成された静電潜像を現像する現像ユニットであり、静電潜像に基づいたトナー像を感光体ドラム７１上に形成させる。転写部７４は、画像形成部７３によって感光体ドラム７１上に形成されたトナー像を記録紙Ｐに転写させる。定着部７５は、転写部７４によってトナー像が転写された記録紙Ｐを加熱してトナー像を記録紙Ｐに定着させる。
【００１８】
図２は、排紙ローラー４６を図１に示す排紙トレイ５１側から見た図である。図２において、図２（ａ）は、ソレノイド４１１が駆動していない状態を示している。折り目付けコロ４１２は、用紙搬送路４３のセンターラインに配置されたセンター駆動ローラー４１４に押圧されていない状態である。図２（ｂ）は、ソレノイド４１１が駆動している状態を示している。折り目付けコロ４１２は、センター駆動ローラー４１４に押圧されている状態を示す。記録紙Ｐは、図面手前側に向かって排紙される。
【００１９】
排紙ローラー４６は、駆動ローラー４６ａ〜４６ｄと従動ローラー４６ｆ〜４６ｉとを備えており、搬送ガイド４８に案内されて搬送されてきた記録紙Ｐをニップして排紙トレイ５１（図面手前側）に排紙する。用紙搬送路４３のセンターラインを中心に左右に駆動ローラー４６ａ、４６ｂと駆動ローラー４６ｃ、４６ｄが配置されている。従動ローラー４６ｆ〜４６ｉのそれぞれは、駆動ローラー４６ａ、４６ｂ、４６ｃ、４６ｄに当接している。
【００２０】
排紙ローラー４６には、パンチ用出力設定がされたときに、記録紙Ｐのセンターラインの先端部分に折り目を付ける折り加工部４が設けられている。パンチ用出力設定は、印刷設定項目の一つであり、記録紙Ｐにパンチ用の折り目を付けて出力するためのものである。
【００２１】
折り加工部４は、折り目付けコロ４１２とソレノイド４１１と紙検出部４１３とセンター駆動ローラー４１４とを備えている。
【００２２】
折り目付けコロ４１２は、用紙搬送路４３のセンターラインに配置されたセンター駆動ローラー４１４の中央の上方に配置されており、搬送されてきた記録紙Ｐのセンターラインに折り目を付ける。折り目付けコロ４１２は、円錐の底面同士を貼り合わせた双円錐形状をしており、両円錐の頂点を貫通する軸がソレノイド４１１により軸支されている。ソレノイド４１１が駆動したときには、両円錐の底面同士を貼り合わせた継ぎ目部分がセンター駆動ローラー４１４に押圧され、駆動ローラー４６ａ〜４６ｄの駆動軸と同軸に取り付けられたセンター駆動ローラー４１４の回転に伴って回転する。なお、折り目付けコロ４１２は、記録紙Ｐの搬送を阻害しないように構成されていればよく、記録紙Ｐの搬送方向に回転可能にソレノイド４１１に取り付けられていればよい。例えば、折り目付けコロ４１２は円盤形状であってもよい。
【００２３】
紙検出部４１３は、排紙ローラー４６の手前（図面奥側）に設けられている。紙検出部４１３は、搬送されてきた記録紙Ｐの先端を検出する機能を有する。
【００２４】
ソレノイド４１１は、押圧部の一例であり、本体部５０の内部に固定されている。ソレノイド４１１は、折り目付けコロ４１２をセンター駆動ローラー４１４に押圧するとともに、折り目付けコロ４１２のセンター駆動ローラー４１４に対する押圧状態を解除する機能を有する。ソレノイド４１１が駆動すると、可動部が押し出されて折り目付けコロ４１２がセンター駆動ローラー４１４に押圧され、ソレノイド４１１が駆動を停止すると、可動部の押し出しが行われず、折り目付けコロ４１２のセンター駆動ローラー４１４に対する押圧状態が解除される。図２（ａ）に示すように、折り目付けコロ４１２のセンター駆動ローラー４１４に対する押圧状態が解除されているときには、記録紙Ｐが折り目付けコロ４１２とセンター駆動ローラー４１４との間を通過しても、記録紙Ｐに折り目が付かないように構成されている。一方、図２（ｂ）に示すように、折り目付けコロ４１２がセンター駆動ローラー４１４に押圧された状態では、記録紙Ｐが折り目付けコロ４１２とセンター駆動ローラー４１４との間を通過する際に、記録紙Ｐに折り目が付くように構成されている。
【００２５】
図３には、画像形成装置１の概略構成を示すブロック図が示されている。上述の原稿読取部２、原稿給送部３、折り加工部４、操作部５、記録部６及び搬送部（給紙ローラー４２、レジストローラー４４、排紙ローラー４５、４６）は、制御部７に接続され、制御部７によって動作制御される。また、制御部７には、画像処理部８と、記憶部９とが接続されている。
【００２６】
制御部７は、ＲＯＭ（Read Only Memory）、ＲＡＭ（Random Access Memory）等を備えたマイクロコンピューター等の情報処理部である。ＲＯＭには画像形成装置１の動作制御を行うための制御プログラムが記憶されている。制御部７は、ＲＯＭに記憶されている制御プログラムを読み出し、制御プログラムをＲＡＭに展開させることで、装置全体の制御を行う。
【００２７】
画像処理部８は、画像データに対して所定の画像処理を行う手段であり、例えば、拡大縮小処理や、階調調整、濃度調整のような画像改善処理が行われる。
【００２８】
記憶部９は、半導体メモリーやＨＤＤ（Hard Disk Drive）のような記憶手段であり、原稿読取部２によって原稿を読み取ることで取得された画像データが記憶される。
【００２９】
次に、図４を参照してパンチ用出力設定について説明する。ユーザーは、画像形成装置１００に対して印刷やコピー等の指示を行う際に、記録紙Ｐにパンチ用の折り目を付けて出力するパンチ用出力設定を行うことができる。パンチ用出力設定が有りに設定されると、図４に示す折目付け位置設定画面が操作部６又はユーザーの外部端末に表示され、折り目付け位置を記録紙Ｐの長辺左とじ、長辺右とじ、短辺上とじ、短辺下とじから選択することができる。
【００３０】
次に、図５を参照して、給紙してから排紙ローラー４６に搬送するまでの画像形成装置１００の処理の流れを説明する。
【００３１】
まず、制御部７は、パンチ用出力設定が有りとなっているか判定する（ステップｓ１１）。パンチ用出力設定が無しの場合（ステップｓ１１でＮｏ）、制御部７は、縦向き給紙カセット４１−１から記録紙Ｐを給紙し（ステップｓ１２）、記録紙Ｐに印刷して（ステップｓ１３）、排紙ローラー４６により排紙する（ステップｓ１４）。つづいて、制御部７は、全てのページが印刷されたか判定し（ステップｓ１５）、全てのページが印刷されるまで上記のステップｓ１２からステップｓ１５の処理を繰り返す。全てのページが印刷されると（ステップｓ１５でＹｅｓ）、本処理が終了する。
【００３２】
一方、パンチ用出力設定が有りの場合（ステップでｓ１１でＹｅｓ）、制御部７は、予め設定された折り目付け位置が長辺とじであるか判定する（ステップｓ１６）。長辺とじである場合（ステップｓ１６でＹｅｓ）、制御部７は、横向き給紙カセット４１−ｎから給紙する（ステップｓ１７）。一方、短辺とじである場合（ステップｓ１６でＮｏ）、制御部７は、縦向き給紙カセット４１−１から給紙する（ステップｓ１８）。
【００３３】
つづいて、制御部７は、給紙した記録紙Ｐに印刷を行い（ステップｓ１９）、予め設定された折り目付け位置が搬送方向後端側であるか判定する（ステップｓ２０）。ここで、予め設定された折り目付け位置が搬送方向後端側となる場合とは、長辺右とじの場合と短辺下とじの場合である。なお、予め設定された折り目付け位置が長辺左とじの場合と短辺上とじの場合は、折り目付け位置が搬送方向先端側となって搬送される。
【００３４】
折り目付け位置が搬送方向後端側である場合（ステップｓ２０でＹｅｓ）、制御部７は、記録紙Ｐを用紙反転搬送路４７に搬送して、予め設定された折り目付け位置が搬送方向先端側となるように反転し（ステップｓ２１）、折り目付け処理して（ステップｓ２２）、排紙する（ステップｓ２３）。一方、折り目付け位置が搬送方向先端側である場合（ステップｓ２０でＮｏ）、制御部７は、記録紙Ｐに用紙反転搬送路４７を経由せずに、折り目付け処理して（ステップｓ２２）、排紙する（ステップｓ２３）。
【００３５】
つづいて、制御部７は、全てのページが印刷されたか判定し（ステップｓ２４）、全てのページが印刷されるまで上記のステップｓ１１からステップｓ２４の処理を繰り返す。全てのページが印刷されると（ステップｓ２４でＹｅｓ）、本処理が終了する。
【００３６】
次に、図６を参照して、排紙ローラー４６における折り加工部４の折り目付け処理の流れを説明する。なお、以下の処理で排紙ローラー４６は回転しているものとする。
【００３７】
まず、制御部７は、パンチ用出力設定が有りか判定する（ステップｓ５２）。パンチ用出力設定が無しの場合（ステップｓ５２でＮｏ）、本処理が終了する。なお、ここで、記録紙Ｐが排紙ローラー４６に搬送された際、折り目付けコロ４１２はセンター駆動ローラー４１４に押圧されていない状態である。そのため、記録紙Ｐは折り目が付いていない状態で排紙される。
【００３８】
パンチ用出力設定が有りの場合（ステップｓ５２でＹｅｓ）、制御部７は、ソレノイド４１１を駆動して折り目付けコロ４１２をセンター駆動ローラー４１４に押圧する（ステップｓ５３）。
【００３９】
つづいて、制御部７は、排紙ローラー４６の手前に設けられた紙検出部４１３により記録紙Ｐの先端を検出するまで待機する（ステップｓ５４でＮｏ）。記録紙Ｐの先端が検出されると（ステップｓ５４でＹｅｓ）、制御部７は、所定時間が経過したか判定する（ステップｓ５５）。所定時間が経過していない場合（ステップｓ５５でＮｏ）、記録紙Ｐが排紙ローラー４６の回転に伴って折り目付けコロ４１２とセンター駆動ローラー４１４との間を通過する際に折り目付けされる（ステップｓ５６）。この所定時間を調整することにより、記録紙Ｐのセンターラインに先端部から折り目付けする長さを変えることができる。所定時間が経過すると（ステップｓ５５でＹｅｓ）、制御部７は、ソレノイド４１１の駆動を停止して折り目付けコロ４１２のセンター駆動ローラー４１４に対する押圧状態を解除して（ステップｓ５７）、本処理を終了する。これにより、最初に出力された記録紙Ｐは、センターラインの先端部分のみが折り目付けされた状態で排紙される。なお、通常、パンチする際には、１ページ目にセンター位置が示されていれば十分であるため、ここでは、最初に出力された記録紙Ｐのみに折り目を付けている。
【００４０】
以上の処理により、本実施形態では、パンチ用出力設定がされたときに、ソレノイド４１１を駆動して折り目付けコロ４１２をセンター駆動ローラー４１４に押圧し、記録紙Ｐの先端が検出されてから所定時間経過後にソレノイド４１１の駆動を停止して折り目付けコロ４１２のセンター駆動ローラー４１４に対する押圧状態を解除することにより、印刷された記録紙Ｐのセンターライン先端部のみに折り目付けをすることができる。そのため、折り目付けを行う折り加工部の構成を簡単で省スペースなものにすることができる。また、本実施形態によれば、記録紙Ｐにセンターラインを示すマークを印字しないので、記録紙Ｐの見栄えをよくすることができる。
【００４１】
本発明は上述した実施の形態に限定されるものではなく、本発明の趣旨を逸脱しない範囲で種々様々に変更が可能であることは言うまでもない。
【００４２】
例えば、上記実施形態では、折り目付け位置が搬送方向後端側となる場合、用紙反転搬送路４７を介して記録紙Ｐを反転して排紙ローラー４６に搬送したが、記録部７により上下回転させた画像を記録紙Ｐに記録して排紙ローラー４６に搬送することで、折り加工部４が記録紙Ｐの先端部分に折り目付けできるようにしてもよい。
【００４３】
また、紙検出部４１３は排紙ローラー４６のすぐ手前ではなく、排紙ローラー４６から記録部７側に離れて設けられてもよい。この場合、紙検出部４１３により記録紙Ｐの先端が検出されてから記録紙Ｐが排紙ローラー４６に搬送されるまでに時間があるので、ソレノイド４１１を駆動して折り目付けコロ４１２をセンター駆動ローラー４１４に押圧するタイミングを、紙検出部４１３で記録紙Ｐの先端が検出された直後にしてもよい。
【００４４】
また、紙検出部４１３は、記録紙Ｐの先端を検出する機能の他に、ソレノイド４１１を制御して、折り目付けコロ４１２のセンター駆動ローラー４１４に対する押圧を解除する機能を有してもよい。この場合、紙検出部４１３は、記録紙Ｐの先端を検出してから所定時間（折り目付けする時間）経過した後に、ソレノイド４１１の駆動を停止させる駆動停止信号をソレノイド４１１に出力する。これによれば、最初に制御部７によりソレノイド４１１が駆動された後は、折り加工部４は制御部７から独立して動作することができる。
【００４５】
また、折り目を付けるページについては、最初のページだけではなく、全ページに付けてもよいし、所定枚数毎に付けてもよく、折り目付けするページをユーザーが設定可能としてもよい。制御部７は、ユーザーによって設定された折り目付けページに対応する記録紙Ｐが排紙ローラー４６に搬送されたときにだけ、折り目付けコロ４１２をセンター駆動ローラー４１４に押圧するようにソレノイド４１１を駆動制御すればよい。具体的には、制御部７は、記録部７により折り目付けページを記録紙Ｐに印刷したときに、予め記憶された搬送時間に基づいて、その折り目付けページの１ページ前の記録紙Ｐの先端を紙検出部４１３により検出する。この搬送時間は、予め設定された折り目付けページが記録部７で印刷されてから折り目付けページの１ページ前の記録紙Ｐの先端が紙検出部４１３により検出されるまでの時間である。つづいて、制御部７は、その記録紙Ｐの先端が検出されてから排紙ローラー４６により排紙されるまでの予め記憶された紙通過時間が経過した後に、ソレノイド４１１を駆動して折り目付けコロ４１２をセンター駆動ローラー４１４に押圧し、折り目付けページの到来に備えればよい。
【００４６】
また、折り加工部４は、排紙ローラー４６ではなく、排紙ローラー４５に設けられてもよいし、排紙ローラー４６と排紙ローラー４５の両方に設けられてもよい。また、折り加工部４が設けられる位置は、排紙ローラー４５、４６に限らず、定着部７５より排出口側に配置された搬送ローラーに設けられていればよい。例えば、綴じ処理等を行う後処理装置内の搬送ローラーに設けられてもよい。
【００４７】
また、折り目を記録紙Ｐの先端部分ではなく、後端部分に付けてもよい。この場合、制御部７は、予め設定された折り目付け位置が長辺左とじの場合と短辺上とじの場合に、用紙反転搬送路４７を介し、予め設定された折り目付け位置が長辺右とじの場合と短辺下とじの場合に、用紙反転搬送路４７を介さずに排紙ローラー４６に記録紙Ｐを搬送する。その後、制御部７は、紙検出部４１３により記録紙Ｐの先端が検出されたときに、折り目付けコロ４１２が記録紙Ｐの後端部分に折り目を付けることが可能なタイミング（先端が検出されてから排紙ローラー４６に記録紙Ｐの後端部が到着するまでの時間経過後）でソレノイド４１１を駆動して、折り目付けコロ４１２をセンター駆動ローラー４１４に押圧すればよい。なお、記録紙Ｐの先端部分に折り目を付ける場合には、予め折り目付けコロ４１２をセンター駆動ローラー４１４に押圧した状態で記録紙Ｐに折り目を付けるので、記録紙Ｐの後端部分に折り目を付けるよりも確実で簡単な制御で済む。
【符号の説明】
【００４８】
１  画像形成装置
２  原稿読取部
３  原稿給送部
４  折り加工部
５  操作部
６  記録部
７  制御部
８  画像処理部
９  記憶部
５０  本体部
５１、５２  排紙トレイ
６１  液晶表示部
６２  操作ボタン
２１  スキャナー
２２  プラテンガラス
２３  原稿読取スリット
３１  原稿載置部
３２  原稿排出トレイ
３３  原稿給送機構
４１（４１−１〜４１−ｎ）  給紙カセット
４２（４２−１〜４２−ｎ）  給紙ローラー
４１−１  縦向き給紙カセット
４１−ｎ  横向き給紙カセット
４３  用紙搬送路
４４  レジストローラー
４５、４６  排紙ローラー
４７  用紙反転搬送路
４８  搬送ガイド
７１  感光体ドラム
７２  露光部
７３  画像形成部
７４  転写部
７５  定着部
４１１  ソレノイド
４１２  折り目付けコロ
４１３  紙検出部
４１４  センター駆動ローラー
【図１】
2015067424.tif 000003
【図２】
2015067424.tif 000004
【図３】
2015067424.tif 000005
【図４】
2015067424.tif 000006
【図５】
2015067424.tif 000007
【図６】
2015067424.tif 000008